(57)【要約】【課題】  線香を倒れなく整然と安全に起立保持できる線香起立具を極めて簡易に提供すること。【解決手段】  線香立て１０に内蔵される線香起立具２０であって、金属製の太径管２１の内径部に、多数本の金属製の細径管２２を互いに圧密に装填し、各細径管２２のそれぞれに各１本の線香１を挿し入れ可能にしたもの。【選択図】  図１
0003127666.tif 000002
【実用新案登録請求の範囲】
【請求項１】
線香立てに内蔵される線香起立具であって、
金属製の太径管の内径部に、多数本の金属製の細径管を互いに圧密に装填し、各細径管のそれぞれに各１本の線香を挿し入れ可能にした線香起立具。
【請求項２】
前記太径管が多数本の前記細径管を装填した状態で引抜加工されたものである請求項１に記載の線香起立具。
【請求項３】
前記太径管に多数本の前記細径管を圧入してなる請求項１に記載の線香起立具。
【請求項４】
前記太径管と細径管がステンレス鋼管からなる請求項１〜３のいずれかに記載の線香起立具。
【請求項５】
請求項１〜４のいずれかに記載の線香起立具を内蔵してなる線香立て。
【考案の詳細な説明】
【技術分野】
【０００１】
本考案は線香起立具に関する。
【背景技術】
【０００２】
線香立てに内蔵される線香起立具として、特許文献１に記載の如く、１本の線香がゆるく嵌合しかつ上下に細長い多数の嵌合孔を互いに接近させてなるものがある。仏壇に線香をあげるとき、線香を嵌合孔に容易に立てることができ、立てた線香を倒れなく整然と安全に起立保持できる。
【特許文献１】特開2004-105640
【考案の開示】
【考案が解決しようとする課題】
【０００３】
特許文献１に記載の線香起立具は、プラスチック又は金属により円筒状に形成され、その全域に上下に貫通する多数の嵌合孔を形成したものである。従って、プラスチック又は金属に、細径ドリルを用いた多数の深孔加工を繰り返し施すものであり、ドリルの折損を招くおそれがあって製作性が悪い。特に、加熱環境下でも錆を生じないステンレス鋼を採用しようとするとき、ドリルの折損をより招き易く、採用できないという不都合がある。
【０００４】
本考案の課題は、線香を倒れなく整然と安全に起立保持できる線香起立具を極めて簡易に提供することにある。
【課題を解決するための手段】
【０００５】
請求項１の考案は、線香立てに内蔵される線香起立具であって、金属製の太径管の内径部に、多数本の金属製の細径管を互いに圧密に装填し、各細径管のそれぞれに各１本の線香を挿し入れ可能にしたものである。
【０００６】
請求項２の考案は、請求項１の考案において更に、前記太径管が多数本の前記細径管を装填した状態で引抜加工されるようにしたものである。
【０００７】
請求項３の考案は、請求項１の考案において更に、前記太径管に多数本の前記細径管を圧入してなるようにしたものである。
【０００８】
請求項４の考案は、請求項１〜３のいずれかの考案において更に、前記太径管と細径管がステンレス鋼管からなるようにしたものである。
【０００９】
請求項５の考案は、請求項１〜４のいずれかに記載の線香起立具を内蔵してなる線香立てである。
【考案の効果】
【００１０】
（請求項１）
(a)仏壇に線香をあげるとき、線香を線香起立具の細径管の中空部に挿し入れて容易に立てることができ、立てた線香を倒れなく整然と安全に起立保持できる。火がついている間も安心して目を離すことができる。
【００１１】
(b)線香起立具は、多数本の細径管を太径管の内径部に単に圧密に装填するものであり、ドリルを用いた深孔加工を伴なう等に比して、線香起立具を極めて簡易に製作できる。細径管は太径管の内径部に圧密に装填されて固定され、接着剤を伴なうものでないから、線香の燃焼熱によってその固定を損なうことがなく、耐久性は高い。
【００１２】
（請求項２）
(c)太径管が多数本の細径管を装填した状態で引抜加工されるものとすることにより、太径管の内径部に細径管を極めて簡易に圧密装填できる。
【００１３】
（請求項３）
(d)太径管に多数本の細径管を圧入することにより、太径管の内径部に細径管を極めて簡易に圧密装填できる。
【００１４】
（請求項４）
(e)太径管と細径管がステンレス鋼管からなるものとすることにより、線香の燃焼熱の加熱環境下でも、太径管と細径管に錆を生ずることがなく、耐久性を向上できる。
【００１５】
（請求項５）
(f)線香立てにおいて、上述(a)〜(e)の線香起立具を用いることができ、線香を倒れなく整然と安全に起立保持できる。
【考案を実施するための最良の形態】
【００１６】
図１は線香立てを示す断面図、図２は線香起立具を示し、（Ａ）は断面図、（Ｂ）は端面図である。
【実施例】
【００１７】
図１において、１０は線香立て、２０は線香起立具である。線香立て１０は、陶器、耐熱性プラスチック製の天面を開口した有性筒状の容器１１からなり、容器１１の内部に灰１２を収容する。
【００１８】
線香起立具２０は、線香立て１０の灰１２に、上端側の一部を残す大部分を埋設される。線香起立具２０は、図２に示す如く、太径金属管からなる太径管２１の内径部に、多数本の細径金属管からなる細径管２２を互いに圧密に装填し、各細径管２２の軸方向に細長い中空部のそれぞれに各１本の線香１を挿し入れ可能にする。
【００１９】
線香起立具２０において、太径管２１は円管、角管、異形管を採用でき、細径管２２は円管を採用できる。そして、太径管２１は、例えば外径20〜40mm（本実施例では30mm）、肉厚0.8〜1.2ｍｍ（本実施例では1mm）のステンレス鋼管を採用できる。また、細径管２２は、例えば外径2.2〜2.4mm（本実施例では2.2mm）、肉厚0.1〜0.2mm（本実施例では0.1mm）のステンレス鋼管を採用できる。このとき、細径管２２の内径は１本の線香１の外径、例えば2mmより若干大きくし、線香１をスムースに挿し入れできるようにする。また、細径管２２の軸方向の長さは細径管２２の内径の10倍〜20倍（本実施例では15倍）にし、細径管２２に軸方向に細長い中空部を形成し、線香１を安定的に起立保持できるようにする。
【００２０】
線香起立具２０は例えば以下の手順で製造できる。
(1)１本の長尺太径管２１の内径部に多数本の長尺細径管２２を装填し、太径管２１を引抜加工して伸管する。これにより、太径管２１の内径部に多数本の細径管２２が互いに圧密に装填されたものになる。
【００２１】
(2)上述(1)の引抜加工された太径管２１を、線香起立具２０を構成することとなる長さに切断し、その切断端面のバリを除去し、線香起立具２０を得る。
【００２２】
尚、線香起立具２０は以下の手順でも製造できる。
(1)１本の長尺太径管２１の内径部に、多数本の長尺細径管２２を圧入する。これにより、太径管２１の内径部に多数本の細径管２２が互いに圧密に装填されたものになる。
【００２３】
(2)上述(1)の引抜加工された太径管２１を、線香起立具２０を構成することとなる長さに切断し、その切断端面のバリを除去し、線香起立具２０を得る。
【００２４】
従って、線香立て１０の使用者は、各１本の線香１を線香起立具２０のいずれかの細径管２２の中空部に挿し入れる。線香１は細径管２２を貫通した下端部が灰１２に刺さり、上端部に点火して用いられる。用済後に細径管２２の中空部に残った線香１の燃えかすは、線香立て１０から取り出した線香起立具２０の当該細径管２２から除去される。
【００２５】
本実施例によれば以下の作用効果を奏する。
(a)仏壇に線香１をあげるとき、線香１を線香起立具２０の細径管２２の中空部に挿し入れて容易に立てることができ、立てた線香１を倒れなく整然と安全に起立保持できる。火がついている間も安心して目を離すことができる。
【００２６】
(b)線香起立具２０は、多数本の細径管２２を太径管２１の内径部に単に圧密に装填するものであり、ドリルを用いた深孔加工を伴う等に比して、線香起立具２０を極めて簡易に製作できる。細径管２２は太径管２１の内径部に圧密に装填されて固定され、接着剤を伴うものでないから、線香１の燃焼熱によってその固定を損うことがなく、耐久性は高い。
【００２７】
(c)太径管２１が多数本の細径管２２を装填した状態で引抜加工されるものとすることにより、太径管２１の内径部に細径管２２を極めて簡易に圧密装填できる。
【００２８】
(d)太径管２１に多数本の細径管２２を圧入することにより、太径管２１の内径部に細径管２２を極めて簡易に圧密装填できる。
【００２９】
(e)太径管２１と細径管２２がステンレス鋼管からなるものとすることにより、線香１の燃焼熱の加熱環境下でも、太径管２１と細径管２２に錆を生ずることがなく、耐久性を向上できる。
【００３０】
(f)線香立て１０において、上述(a)〜(e)の線香起立具２０を用いることができ、線香１を倒れなく整然と安全に起立保持できる。
【００３１】
尚、線香起立具２０は、線香立て１０の灰１２に埋設されて用いられるものに限らない。即ち、１本の線香１の断面積よりも小さな網目の金網、又は１本の線香１の断面積よりも小さな小孔の多孔金属板を、線香立て１０の容器１１内の深さ方向中間部に設け、これらの金網、多孔金属板の上に線香起立具２０の下端面を載置して用いるものでも良い。
【図面の簡単な説明】
【００３２】
【図１】図１は線香立てを示す断面図である。
【図２】図２は線香起立具を示し、（Ａ）は断面図、（Ｂ）は端面図である。
【符号の説明】
【００３３】
１  線香
１０  線香立て
２０  線香起立具
２１  太径管
２２  細径管
【図１】
0003127666.tif 000003
【図２】
0003127666.tif 000004